(57)【要約】      （修正有）【課題】チェストストラップを肩紐に後付けする場合であっても、ずれ落ちないようなものを提供する。【解決手段】肩掛けカバンにおいて、２本の肩紐５，６を束ねて胸元で引き締めるのに使用するチェストストラップである。中央部に設けられた、雌雄要素２１，２２からなるバックル２と、バックル２の左右に設けられ、一端がバックル２と接続され、他端が開閉可能であって肩紐５，６に取り付けられた後に閉じられる第１ストラップ３，４とを有する。使用時に第１ストラップ３，４が肩紐５，６と交差する位置に、第２ストラップ３５，４５が肩紐５，６と接触するように設けられている。【選択図】図３
0003210156.tif 000002
【実用新案登録請求の範囲】
【請求項１】
肩掛けカバンにおいて、２本の肩紐（５，６）を束ねて胸元で引き締めるのに使用するチェストストラップ（１）であって、
中央部に設けられた、雌雄要素（２１，２２）からなるバックル（２）と、
前記バックル（２）の左右に設けられ、一端が前記バックル（２）と接続され、他端が開閉可能であって前記肩紐（５，６）に取り付けられた後に閉じられる第１ストラップ（３，４）とを有し、
使用時に前記第１ストラップ（３，４）が前記肩紐（５，６）と交差する位置に、第２ストラップ（３５，４５）が前記肩紐（５，６）と接触するように設けられていることを特徴とするチェストストラップ（１）。
【請求項２】
前記第２のストラップ（３５，４５）が前記第１ストラップ（３，４）よりも短いものである請求項１記載のチェストストラップ（１）。
【請求項３】
前記第２のストラップ（３５，４５）が伸縮性を備えている請求項１又は２記載のチェストストラップ（１）。
【請求項４】
前記第２のストラップ（３５，４５）の肩紐側の表面に滑り止め加工が施されている請求項１乃至３のいずれかに記載のチェストストラップ（１）。
【請求項５】
前記滑り止め加工が、滑り止め作用のある合成樹脂を塗布することである請求項４記載のチェストストラップ（１）。
【考案の詳細な説明】
【技術分野】
【０００１】
本考案は、肩掛けカバン（例えば、ランドセル、リュックサック、ナップサックなど）において、２本の肩紐を束ねて胸元で引き締めるのに使用するチェストストラップ（「チェストバンド」、「チェストハーネス」と呼ばれることもある）に関する。
【背景技術】
【０００２】
ランドセルではあまり使用されていないが、リュックサックなどではチェストストラップが多用されている。例えば、下記特許文献を参照。
【先行技術文献】
【特許文献】
【０００３】
【特許文献１】特表2004-530521
【特許文献２】特開2015-83097
【考案の概要】
【考案が解決しようとする課題】
【０００４】
チェストストラップは、２本のストラップからなり、中央のバックル部分において接合及び分離可能である。バックルと反対側の各チェストストラップ末端は肩紐に固定されていることが多い。上記特許文献のチェストストラップでもそうである。
【０００５】
しかし、チェストストラップを後付けしようとする場合（例えば、普通、チェストストラップがないランドセルに対して後付けでこれを取り付けようとする場合）、チェストストラップの肩紐側の末端をリング状にしてこの中に肩紐を通すだけでは、肩紐に沿ってずれ落ちてしまいやすい。
【０００６】
本考案は、チェストストラップを肩紐に後付けする場合であっても、ずれ落ちないようなものを提供することを目的とする。
【課題を解決するための手段】
【０００７】
本考案は、肩掛けカバンにおいて、２本の肩紐を束ねて胸元で引き締めるのに使用するチェストストラップであって、中央部に設けられた、雌雄要素からなるバックルと、前記バックルの左右に設けられ、一端がバックルと接続され、他端が開閉可能であって肩紐に取り付けられた後に閉じられる第１ストラップとを有し、使用時に前記第１ストラップが肩紐と交差する位置に、第２ストラップが前記肩紐と接触するように設けられていることを特徴とする（請求項１）。
【０００８】
好ましくは、前記第２のストラップが前記第１ストラップよりも短いものである（請求項２）。好ましくは、前記第２のストラップは伸縮性を備えている（請求項３）。
【０００９】
さらに好ましくは、前記第２のストラップの肩紐側の表面に滑り止め加工が施されている（請求項４）。滑り止め加工は例えば、滑り止め作用のある合成樹脂を塗布することである（請求項５）。
【考案の効果】
【００１０】
本考案によれば、肩紐と第２ストラップが接触するので、摩擦力によりチェストストラップは肩紐から容易に抜け落ちることはない。請求項３〜５のように、第２ストラップに伸縮性を持たせたり、肩紐側の表面に滑り止め加工を施したりすればさらに摩擦力効果は高まる。
【図面の簡単な説明】
【００１１】
【図１】本考案の１実施例に係る一対のチェストストラップを取り付けたリュックサックの斜視図である。
【図２】図１における一対のチェストストラップのみを取り出して伸ばした状態の図であり、（ａ）は平面図、（ｂ）は側面図、（ｃ）は底面図である。
【図３】図２の一対のチェストストラップにおいて、各対の肩紐側を折り畳んだ状態の図であり、（ａ）は平面図、（ｂ）は側面図、（ｃ）は底面図である。
【考案を実施するための形態】
【００１２】
図１は、本考案の１実施例に係る一対のチェストストラップ１を取り付けたリュックサックＲの斜視図である。
【００１３】
図２、３に示すように、チェストストラップ１は中央部にバックル２を有する。バックル２は雌雄要素２１，２２からなり、周知のように、指の操作により、接合及び分離が容易にできるようになっている。
【００１４】
このバックル２の雌雄要素２１，２２はそれぞれストラップ３、４（総称して「第１ストラップ」という）と連結されている。
【００１５】
図２各図において、バックル雌要素２１側（左側）のストラップ３末端３１は、バックルの雌要素２１の通過孔２３を通過した後で折り返され、２本の束となったストラップ３が固着されている。バックル雄要素２２側（右側）のストラップ４末端４１は、バックル２の雄要素２２の２つの通過孔２４，２５を通過した後で折り返されることにより、長さ調節が可能となっている。ストラップ末端４１は遊端状態であり、固着されていない。
【００１６】
各バックル要素２１，２２と反対側（肩紐５，６側）のストラップ末端３２，４２も肩紐５，６を巡って折り返される。ここでは、それぞれのストラップ３，４に雌雄ボタン３３，３４；４３，４４が取り付けられていて、これらのボタンを係合させたり、分離させたりすることにより、開閉が可能になっている。開放状態で、チェストストラップ１を肩紐５，６に取り付けることにより、チェストストラップ１の後付けが可能となるのである。
【００１７】
本考案に特徴的なのは、図２（ｂ）に示すように、ストラップ３が前記雌雄ボタン３３，３４の間において二重になっており、ストラップ４が前記雌雄ボタン４３，４４の間において二重になっていることである。すなわち、通常の各ストラップ３，４の内側に、それよりは短い別のストラップ３５，４５（総称して「第２ストラップ」という）がそれぞれ１本ずつ設けられていることである。第２ストラップ３５，４５はそれ自体伸縮性を有し、その両端は第１ストラップ３，４に対して糸によりしっかりと固定されている。
【００１８】
第２ストラップ３５，４５の肩紐側表面には、図２（ａ）に示すように、滑り止め樹脂が細い数本の帯３６，４６となって塗布されている。
【００１９】
図３各図は、チェストストラップ１の肩紐５，６側を折り畳んで、リュックサックＲに取り付けた状態である。
【００２０】
この状態においては、図３（ｂ）に示すように、肩紐５，６とチェストストラップ１の第２ストラップ３５，４５が接触する。第２ストラップ３５，４５には滑り止め樹脂が塗布されているので、肩紐５，６と摩擦接合して、容易にずれることはない。滑り止め用の樹脂としては、例えばシリコーン樹脂を使用することができる。
【符号の説明】
【００２１】
１     チェストストラップ
２     バックル
２１   バックル雌要素
２２   バックル雄要素
２３   通過孔
２４，２５    通過孔
３     第１ストラップ
３１   ストラップ末端
３２   ストラップ末端
３３，３４    雌雄ボタン
３５   第２ストラップ
３６   樹脂帯
４     第１ストラップ
４１   ストラップ末端
４２   ストラップ末端
４３，４４    雌雄ボタン
４５   第２ストラップ
４６   樹脂帯
５，６ 肩紐
Ｒ     リュックサック
【図１】
0003210156.tif 000003
【図２】
0003210156.tif 000004
【図３】
0003210156.tif 000005